【手続補正書】
【提出日】平成20年7月16日(2008.7.16)
【手続補正１】
【補正対象書類名】明細書
【補正対象項目名】特許請求の範囲
【補正方法】変更
【補正の内容】
【特許請求の範囲】
【請求項１】２組の対向側板と、この対向側板の下端に連設された底板形成用フラップと、この対向側板の上端に連設された上蓋形成用フラップとを備え、２組の対向側板の内、１組の対向側板の上端に連設された上蓋形成用フラップは先に折り曲げられ、続いて他の組の対向側板の上端に連設された上蓋形成用フラップを折り曲げることによって上蓋が形成され、この他の組の対向側板の上端に連設された上蓋形成用フラップの付き合わせ部に沿って封緘テープが貼着されて上蓋が閉じられるようにした紙製包装箱であって、前記１組の対向側板の少なくとも一方の側板の上端近傍部におけるこの側板の幅方向中央部近傍に押圧により折り曲げ可能な切り込みを形成してなり、この切り込みの上端の折り曲げ可能部分とその少し下側の切り込みの部分を覆い包むように前記封緘テープの端部を前記１組の対向側板の少なくとも一方の側板の上端外面に貼着するようにしたことを特徴とする紙製包装箱。
【請求項２】切り込みの上端に折り曲げ線を形成してなることを特徴とする請求項１記載の紙製包装箱。
【請求項３】２組の対向側板の内、１組の対向側板の下端に連設された底板形成用フラップは先に折り曲げられ、続いて他の組の対向側板の下端に連設された底板形成用フラップを折り曲げることによって底板が形成され、この他の組の対向側板の下端に連設された底板形成用フラップの付き合わせ部に沿って封緘テープが貼着されて底板が閉じられるようにした紙製包装箱であり、１組の対向側板の少なくとも一方の側板の下端近傍部におけるこの側板の幅方向中央部近傍に押圧により下端の折り曲げ線の部分で折り曲げ可能な切り込みを形成してなり、この切り込みの下端の折り曲げ可能部分とその少し上側の切り込みの部分を覆い包むように前記封緘テープの端部を前記１組の対向側板の少なくとも一方の側板の下端外面に貼着するようにしたことを特徴とする請求項１または２記載の紙製包装箱。
【請求項４】切り込みの下端に折り曲げ線を形成してなることを特徴とする請求項３記載の紙製包装箱。
【請求項５】２組の対向側板と、この対向側板の下端に連設された底板形成用フラップと、この対向側板の上端に連設された上蓋形成用フラップとを備え、２組の対向側板の内、１組の対向側板の上端に連設された上蓋形成用フラップは先に折り曲げられ、続いて他の組の対向側板の上端に連設された上蓋形成用フラップを折り曲げることによって上蓋が形成され、この他の組の対向側板の上端に連設された上蓋形成用フラップの付き合わせ部に沿って封緘テープが貼着されて上蓋が閉じられるようにした紙製包装箱であって、前記１組の対向側板の少なくとも一方の側板の上端近傍部におけるこの側板の幅方向中央部近傍に横方向または斜め方向に向き押圧により折り曲げ可能な切り込みを一端の切り込み部が側板の幅方向中央部とは反対側に向くように形成してなり、この切り込みの他端の折り曲げ可能部分とこの折り曲げ可能部分の近傍の切り込みの部分を覆い包むように前記封緘テープの端部を前記１組の対向側板の少なくとも一方の側板の上端外面に貼着するようにしたことを特徴とする紙製包装箱。
【請求項６】２組の対向側板の内、１組の対向側板の下端に連設された底板形成用フラップは先に折り曲げられ、続いて他の組の対向側板の下端に連設された底板形成用フラップを折り曲げることによって底板が形成され、この他の組の対向側板の下端に連設された底板形成用フラップの付き合わせ部に沿って封緘テープが貼着されて底板が閉じられるようにした紙製包装箱であり、１組の対向側板の少なくとも一方の側板の下端近傍部におけるこの側板の幅方向中央部近傍に横方向または斜め方向に向き押圧により折り曲げ可能な切り込みを一端の切り込み部が側板の幅方向中央部とは反対側に向くように形成してなり、この切り込みの他端の折り曲げ可能部分とこの折り曲げ可能部分の近傍の切り込みの部分を覆い包むように前記封緘テープの端部を前記１組の対向側板の少なくとも一方の側板の下端外面に貼着するようにしたことを特徴とする請求項５記載の紙製包装箱。
【請求項７】切り込みの他端に折り曲げ線を形成してなることを特徴とする請求項５または６記載の紙製包装箱。
【手続補正２】
【補正対象書類名】明細書
【補正対象項目名】０００５
【補正方法】変更
【補正の内容】
【０００５】
【課題を解決するための手段】
この課題を解決するために本発明は、２組の対向側板と、この対向側板の下端に連設された底板形成用フラップと、この対向側板の上端に連設された上蓋形成用フラップとを備え、２組の対向側板の内、１組の対向側板の上端に連設された上蓋形成用フラップは先に折り曲げられ、続いて他の組の対向側板の上端に連設された上蓋形成用フラップを折り曲げることによって上蓋が形成され、この他の組の対向側板の上端に連設された上蓋形成用フラップの付き合わせ部に沿って封緘テープが貼着されて上蓋が閉じられるようにした紙製包装箱であって、前記１組の対向側板の少なくとも一方の側板の上端近傍部におけるこの側板の幅方向中央部近傍に押圧により折り曲げ可能な切り込みを形成してなり、この切り込みの上端の折り曲げ可能部分とその少し下側の切り込みの部分を覆い包むように前記封緘テープの端部を前記１組の対向側板の少なくとも一方の側板の上端外面に貼着するようにしたことを要旨とするものである。また本発明は、切り込みの上端に折り曲げ線を形成してなることを要旨とするものである。また本発明は、２組の対向側板の内、１組の対向側板の下端に連設された底板形成用フラップは先に折り曲げられ、続いて他の組の対向側板の下端に連設された底板形成用フラップを折り曲げることによって底板が形成され、この他の組の対向側板の下端に連設された底板形成用フラップの付き合わせ部に沿って封緘テープが貼着されて底板が閉じられるようにした紙製包装箱であり、１組の対向側板の少なくとも一方の側板の下端近傍部におけるこの側板の幅方向中央部近傍に押圧により下端の折り曲げ線の部分で折り曲げ可能な切り込みを形成してなり、この切り込みの下端の折り曲げ可能部分とその少し上側の切り込みの部分を覆い包むように前記封緘テープの端部を前記１組の対向側板の少なくとも一方の側板の下端外面に貼着するようにしたことを要旨とするものである。また本発明は、切り込みの下端に折り曲げ線を形成してなることを要旨とするものである。また本発明は、２組の対向側板と、この対向側板の下端に連設された底板形成用フラップと、この対向側板の上端に連設された上蓋形成用フラップとを備え、２組の対向側板の内、１組の対向側板の上端に連設された上蓋形成用フラップは先に折り曲げられ、続いて他の組の対向側板の上端に連設された上蓋形成用フラップを折り曲げることによって上蓋が形成され、この他の組の対向側板の上端に連設された上蓋形成用フラップの付き合わせ部に沿って封緘テープが貼着されて上蓋が閉じられるようにした紙製包装箱であって、前記１組の対向側板の少なくとも一方の側板の上端近傍部におけるこの側板の幅方向中央部近傍に横方向または斜め方向に向き押圧により折り曲げ可能な切り込みを一端の切り込み部が側板の幅方向中央部とは反対側に向くように形成してなり、この切り込みの他端の折り曲げ可能部分とこの折り曲げ可能部分の近傍の切り込みの部分を覆い包むように前記封緘テープの端部を前記１組の対向側板の少なくとも一方の側板の上端外面に貼着するようにしたことを要旨とするものである。また本発明は、２組の対向側板の内、１組の対向側板の下端に連設された底板形成用フラップは先に折り曲げられ、続いて他の組の対向側板の下端に連設された底板形成用フラップを折り曲げることによって底板が形成され、この他の組の対向側板の下端に連設された底板形成用フラップの付き合わせ部に沿って封緘テープが貼着されて底板が閉じられるようにした紙製包装箱であり、１組の対向側板の少なくとも一方の側板の下端近傍部におけるこの側板の幅方向中央部近傍に横方向または斜め方向に向き押圧により折り曲げ可能な切り込みを一端の切り込み部が側板の幅方向中央部とは反対側に向くように形成してなり、この切り込みの他端の折り曲げ可能部分とこの折り曲げ可能部分の近傍の切り込みの部分を覆い包むように前記封緘テープの端部を前記１組の対向側板の少なくとも一方の側板の下端外面に貼着するようにしたことを要旨とするものである。さらに本発明は、切り込みの他端に折り曲げ線を形成してなることを要旨とするものである。